(57)【要約】【課題】カメラ構成を複雑にすることなく、主電源の電池が消耗してしまった状態でも確実にそれをバックアップし、少なくともレンズ鏡筒をカメラ本体内の収納させる。【解決手段】非撮影時にレンズ鏡筒13ｃの少なくとも一部がモータ13ｂの駆動で本体に収納される撮像装置であって、電源電池21と、この電池21により撮影時に常に充電される電気二重層コンデンサ22ｂと、電池21の消耗を検出する瞬断検出回路23と、レンズ鏡筒13ｃの収納が指示され、且つ電池21の消耗が検出された際に電気二重層コンデンサ22ｂを電源としてモータ13ｂを駆動し、レンズ鏡筒を収納させるモータドライバ12及びＤＳＰ30とを備える。【選択図】      図１
2006098938.tif 000002
【特許請求の範囲】
【請求項１】
非撮影時にレンズ鏡筒の少なくとも一部がモータ駆動で本体に収納される撮像装置であって、
電源電池と、
この電源電池により撮影時に常に充電される電気二重層コンデンサと、
上記電源電池の消耗を検出する検出手段と、
この検出手段により電源電池の消耗が検出された際に上記電気二重層コンデンサを電源として上記モータを駆動し、レンズ鏡筒を収納させる電源制御手段と
を具備したことを特徴とする撮像装置。
【請求項２】
日付及び時刻を計時し続ける計時手段をさらに具備し、
上記電源制御装置は、上記検出手段により電源電池の消耗が検出された際に上記電気二重層コンデンサを電源として上記計時手段もバックアップ動作させる
ことを特徴とする請求項１記載の撮像装置。
【請求項３】
上記電気二重層コンデンサは、上記レンズ鏡筒を収納させる駆動モータ用と上記計時手段用の２系統独立して設けることを特徴とする請求項２記載の撮像装置。
【請求項４】
上記検出手段及び電源制御手段をハードウェア回路により構成したことを特徴とする請求項１乃至３いずれかに記載の撮像装置。
【発明の詳細な説明】
【技術分野】
【０００１】
本発明は、コンパクトタイプのデジタルカメラ等、未使用時にレンズ鏡筒の少なくとも一部が本体に収納される撮像装置に関する。
【背景技術】
【０００２】
近時、銀塩フィルムを用いたカメラに代わって、撮影により得た静止画の電子データを半導体メモリを内蔵したカード状媒体に記憶させることが可能なデジタルカメラが広く一般に普及している。
【０００３】
この種のデジカメで、特に普及価格帯にあるコンパクトタイプの機種のほとんどは、カメラ本体はより小型軽量化される一方で光学レンズ系は例えば３倍程度の光学ズーム機能を有することが要求しており、未使用時の携帯性を重視して電源オフ時にはレンズ鏡筒の全部、あるいはほとんどがカメラ本体内に収納（沈胴）する構造となっている。
【０００４】
図６に、デジタルカメラでレンズ鏡筒をカメラ本体に収納するための電気回路の構成の一部を示す。同図で、１１はこのデジタルカメラ全体の動作制御を司るマイクロコンピュータ（以下文中及び図中では「マイコン」とする）であり、このマイコン１１に対して動作電圧ＶＤＤ−Ｌが印加される。
【０００５】
上記動作電圧ＶＤＤ−Ｌはまた、後述するＤＣモータを回転駆動するモータドライバ１２に印加される一方で、プルアップ抵抗Ｒｐを介してマイコン１１及びレンズユニット１３内のレンズ位置検出スイッチ１３ａの開放端に印加される。同レンズ位置検出スイッチ１３ａの固定端は接地されている。マイコン１１は、モータドライバ１２に対して信号Ａ，Ｂを送出する。
【０００６】
モータドライバ１２は、動作電圧ＶＤＤ−Ｌとマイコン１１からの信号Ａ，Ｂに基づいて動作し、レンズユニット１３のＤＣモータ１３ｂに電圧ＶＤＤ−Ｍと接地（ＧＮＤ）レベルに基づいた出力信号ｏｕｔＡ，ｏｕｔＢを供給する。
【０００７】
レンズユニット１３は、複数の光学レンズ群からなる撮影レンズを図中に両方向矢印Ａで示す如く光軸方向に伸縮自在に保持するテレスコピック構造のレンズ鏡筒１３ｃに対し、上記ＤＣモータ１３ｂにより駆動するもので、レンズ鏡筒１３ｃが伸縮可能な範囲内で最も短縮され、その一部が後退した位置で上記レンズ位置検出スイッチ１３ａの可動切片に当接し、上記レンズ位置検出スイッチ１３ａが導通してマイコン１１がその状態を検出できるものとなっている。
【０００８】
上記のような構成にあって、電源オフ時や撮影モードから再生モードへの移行時等で、マイコン１１はモータドライバ１２への信号Ａ，ＢをＡ＝“Ｌ（Ｌｏｗ）”レベル，Ｂ＝“Ｈ（Ｈｉｇｈ）”レベルとする。
【０００９】
これに対応してモータドライバ１２がレンズユニット１３のＤＣモータ１３ｂへの出力信号ｏｕｔＡ＝ＧＮＤ（接地）レベル，ｏｕｔＢ＝ＶＤＤ−Ｍレベルとすると、ＤＣモータ１３ｂの回転駆動によりレンズ鏡筒１３ｃが順次収納され、最終的にレンズ位置検出スイッチ１３ａを導通させる。
【００１０】
このときレンズ位置検出スイッチ１３ａの導通状態をモニタしているマイコン１１がこれを検出し、モータドライバ１２への信号Ａ，Ｂの出力を停止すると、モータドライバ１２によるレンズユニット１３のＤＣモータ１３ｂへの出力信号ｏｕｔＡ，ｏｕｔＢの制御駆動も停止されて、レンズ鏡筒１３ｃは最も短縮された状態でこのデジタルカメラ本体内に収納される。
【００１１】
反対に電源オン時や再生モードから撮影モードへの移行時には、マイコン１１が前回のレンズ位置検出スイッチ１３ａが導通した位置を基準として予めプログラムされた時間だけモータドライバ１２への信号Ａ，ＢをＡ＝“Ｈ”レベル，Ｂ＝“Ｌ”レベルとする。
【００１２】
これに対応してモータドライバ１２がレンズユニット１３のレンズ位置検出スイッチ１３ａへの出力信号ｏｕｔＡ＝ＶＤＤ−Ｍレベル，ｏｕｔＢ＝ＧＮＤレベルとすると、ＤＣモータ１３ｂの回転駆動によりレンズ鏡筒１３ｃが順次繰出され、撮影に適した例えば再広角側の基準焦点距離位置にセットされる。
【００１３】
このように、マイコン１１とモータドライバ１２によるレンズユニット１３の駆動はすべて図示しない電源電池からの供給電圧ＶＤＤ−Ｌ，ＶＤＤ−Ｍによってまかなわれる。
【００１４】
したがって、電源電池が消耗した状態では、電源オフ時等であってもレンズユニット１３のレンズ鏡筒１３ｃの本体内への収納ができないこともあり得る。
【００１５】
また、上記図６に示した構成とは別に、主電源からの給電が絶たれた場合にレンズバリアの開き放し、鏡胴の沈胴不能、記録途中の画像データの消失等、給電停止による不具合を防止するべく、ストロボ用のコンデンサを蓄電源として用いた技術が考えられている。（例えば、特許文献１）
【特許文献１】特開平１１−３３８０１１号公報。
【発明の開示】
【発明が解決しようとする課題】
【００１６】
上述した如く上記図６に示した回路構成では、電源電池が消耗し、回路に電源電圧を供給できなくなった時点で、レンズユニット１３のレンズ鏡筒１３ｃの本体内への収納が不可能となる。そのため、電池が消耗してしまったカメラを使用していたユーザは、予備の電池を用意してしていない限り、撮影を続行することができず、またレンズ鏡筒１３ｃが本体から繰出されたままのカメラを携帯し続けなければならないため、大変使い勝手がわるいだけでなく、撮影レンズに不用意に傷をつけてしまうことにもなりかねない。
【００１７】
また、上記特許文献１では、元来カメラのストロボ駆動のために用いられるコンデンサを電源電池の補助に援用するものとしている。しかしながら、ストロボ用のコンデンサは、キセノン放電管の駆動に用いられるため、デジタルカメラ内の電気回路にあっては他に比して非常に高い電圧、例えば３００［Ｖ］程度で蓄電される、主に耐圧性を重視したものであり、電源電池の消耗に備えて常に充電を行なっていればそもそもそれが電源電池の消耗を招いてしまうほど電力消費が激しいことだけでなく、コンデンサの充放電その他各種の物理特性を周知している当業者であれば、そのような種類のコンデンサを電源電池のバックアップに用いることが現実性にきわめて乏しいことは明白である。
【００１８】
同様に、その他の一般的な各種コンデンサでも、内部抵抗の高さや、大電流での放電及び急速充電ができる点など、要求される充放電その他の各種特性に対応して、電源電池のバックアップとして用いることが適当と思われるものはなかった。
【００１９】
また、カメラ内に主電源の電池とは別に、バックアップ専用の小型二次電池を内蔵することも考えられるが、その小型二次電池とそれを駆動制御する制御回路等の構成、発熱の問題等を想定すると、製造コスト及び回路設計上の制約が大きく、やはり実現は難しい。
【００２０】
本発明は上記のような実情に鑑みてなされたもので、その目的とするところは、カメラ構成を複雑にすることなく、主電源の電池が消耗してしまった状態でも確実にバックアップし、少なくともレンズ鏡筒をカメラ本体内の収納させることが可能な撮像装置を提供することにある。
【課題を解決するための手段】
【００２１】
請求項１記載の発明は、非撮影時にレンズ鏡筒の少なくとも一部がモータ駆動で本体に収納される撮像装置であって、電源電池と、この電源電池により撮影時に常に充電される電気二重層コンデンサと、上記電源電池の消耗を検出する検出手段と、この検出手段により電源電池の消耗が検出された際に上記電気二重層コンデンサを電源として上記モータを駆動し、レンズ鏡筒を収納させる電源制御手段とを具備したことを特徴とする。
【００２２】
請求項２記載の発明は、上記請求項１記載の発明において、日付及び時刻を計時し続ける計時手段をさらに具備し、上記電源制御装置は、上記検出手段により電源電池の消耗が検出された際に上記電気二重層コンデンサを電源として上記計時手段もバックアップ動作させることを特徴とする。
【００２３】
請求項３記載の発明は、上記請求項２記載の発明において、上記電気二重層コンデンサは、上記レンズ鏡筒を収納させる駆動モータ用と上記計時手段用の２系統独立して設けることを特徴とする。
【００２４】
請求項４記載の発明は、上記請求項１乃至３いずれかに記載の発明において、上記検出手段及び電源制御手段をハードウェア回路により構成したことを特徴とする。
【発明の効果】
【００２５】
請求項１記載の発明によれば、カメラ構成を複雑にすることなく、主電源の電池が消耗してしまった状態でも確実にバックアップし、少なくともレンズ鏡筒をカメラ本体内の収納させることかできる。
【００２６】
請求項２記載の発明によれば、上記請求項１記載の発明の効果に加えて、レンズ鏡筒の収納のみならず、例えばＲＴＣのように現在の日付、時刻を計時し続ける計時手段の内容も合わせて保護することができる。
【００２７】
請求項３記載の発明によれば、上記請求項２記載の発明の効果に加えて、負荷容量と各コンデンサの静電容量とを最適なものに設定することで、それらの各電源バックアップ動作をより確実に実行させることが可能となる。
【００２８】
請求項４記載の発明によれば、上記請求項１乃至３いずれかに記載の発明の効果に加えて、不安定な電源環境でプログラムにしたがって動作するソフトウェア系の制御回路が暴走、あるいはフリーズしてしまうような状態であっても確実に動作を完遂できる。
【発明を実施するための最良の形態】
【００２９】
（第１の実施の形態）  
以下本発明をコンパクトタイプのデジタルカメラに適用した場合の第１の実施の形態について図面を参照して説明する。
【００３０】
図１は、主に電源制御系統に関連した部分的な回路構成を示すものである。電源である電池２１は、例えば定格出力電圧が１本１．５［Ｖ］のものを図示する如く直列に２本接続することで３．０［Ｖ］発生可能であるものとし、その印加電圧が、瞬断保護回路２２、瞬断検出回路２３、抵抗Ｒ１１を介して第２のスイッチング回路２４、抵抗Ｒ１２を介してマイコン２５、ＤＣ／ＤＣ昇圧回路２６、及びここでは図示しないその他のＬＣＤ（液晶表示）パネルの駆動回路や個体撮像素子であるＣＣＤの各電源系回路に与えられる。
【００３１】
瞬断保護回路２２では、電池２１からの電源ラインが二分され、その一方がダイオードＤ１１を介してＬＤＯ（Ｌｏｗ  Ｄｒｏｐ  Ｏｕｔ）２２ａに与えられる。
【００３２】
このＬＤＯ２２ａは、同入力端子がコンデンサＣ１１を介して接地され、内部にｎチャネルＦＥＴを含んだ降圧回路でなり、その出力端は、一端が接地されたＩＲパス用の抵抗Ｒ１３の他端、一端が接地されたバックアップ用の電気二重層コンデンサ２２ｂの他端及びダイオードＤ１３のアノードに接続され、電池２１からの電圧を定格に降圧した電圧を発生してこれらに印加する。
【００３３】
しかるに、ダイオードＤ１３及び上記もう一方の電源ラインに接続されたダイオードＤ１２の両カソードが第１のスイッチング回路２７へと接続される。この第１のスイッチング回路２７はｎチャネルＦＥＴを含み、ＮＰＮ型トランジスタを用いた上記第２のスイッチング回路２４と接続されて、上記電池２１から正常に電源電圧の印加が行なわれている場合に、その印加電圧を上記瞬断保護回路２２を介してシステム系電源回路２８へ与える。
【００３４】
システム系電源回路２８は、このデジタルカメラの動作に必要な各種直流電圧値を生成するもので、上記瞬断保護回路２２内のダイオードＤ１２、第１のスイッチング回路２７を介して与えられる上記電池２１の供給電圧はＤＣ／ＤＣ昇圧回路２８ａ，２８ｂに与えられる。
【００３５】
ＤＣ／ＤＣ昇圧回路２８ａは、与えられる電圧から直流の定格電圧３．３［Ｖ］（ＥＶＣＣ３．３）を生成して上記マイコン２５及び後述するＲＴＣ２９その他に出力する。
【００３６】
ＤＣ／ＤＣ昇圧回路２８ｂは、与えられる電圧から直流の定格電圧３［Ｖ］（ＶＣＣ３−１）を生成し、同システム系電源回路２８内のＬＤＯ２８ｃ及びＤＣ／ＤＣ降圧回路２８ｄへ出力する一方で、モータドライバ１２や後述するＤＳＰ３０その他に出力する。
【００３７】
ＬＤＯ２８ｃは、ＤＣ／ＤＣ昇圧回路２８ｂから与えられる電圧をさらに降圧して定格電圧１．８［Ｖ］（ＶＣＣ１．８）を生成し、後述するＤＳＰ３０やフラッシュＲＯＭ３１その他に出力する。
【００３８】
同様にＤＣ／ＤＣ降圧回路２８ｄは、ＤＣ／ＤＣ昇圧回路２８ｂから与えられる電圧をさらに降圧して定格電圧１．５［Ｖ］（ＶＣＣ１．５）を生成し、後述するＤＳＰ３０その他に出力する。
【００３９】
また、上記瞬断保護回路２２で電源バックアップ用コンデンサとして用いられる電気二重層コンデンサ２２ｂのプラス側端子及び上記レンズユニット１３のアノードは、さらにＲＴＣ２９に接続されると共に、ダイオードＤ１４を介してモータドライバ１２のとも接続される。
【００４０】
上記瞬断検出回路２３では、電池２１からの印加電圧が抵抗Ｒ１４を介して電圧検出器（Ｖ  ｄｅｔ．）２３ａに与えられる。この電圧検出器２３ａは、同入力端に一端を接地したコンデンサＣ１２の他端が接続され、電池２１の印加電圧が所定値、例えば１．０［Ｖ］より低下したか否かを検出するもので、その検出信号はＤＳＰ３０へ送出される。
【００４１】
上記ＤＣ／ＤＣ昇圧回路２６は、電池２１から印加される電圧から直流の定格電圧３．９［Ｖ］（ＶＣＣ３．９）を生成し、モータドライバ１２へ出力する。
【００４２】
ＲＴＣ（Ｒｅａｌ  Ｔｉｍｅ  Ｃｌｏｃｋ）２９は、このデジタルカメラの電源オン／オフに関係なく現在の日付及び時刻の情報を計時し続けるものであり、その動作電源として上記システム系電源回路２８のＤＣ／ＤＣ昇圧回路２８ａからの定電圧３．３［Ｖ］が供給される一方で、電池２１の消耗時には上記瞬断保護回路２２の電気二重層コンデンサ２２ｂから電源バックアップを受ける。
【００４３】
マイコン２５は、このデジタルカメラの制御動作全般を司るシステムコントローラとして動作するものであり、その動作電源として上記システム系電源回路２８のＤＣ／ＤＣ昇圧回路２８ａからの定電圧３．３［Ｖ］が供給され、上記ＲＴＣ２９及びＤＳＰ３０とデータの送受信を行なう一方で、上記抵抗１２を介して電池２１から供給される電源電圧がＡ／Ｄ変換入力端子ＡＤＣに印加され、その電圧値をデジタル値に変換することで電池２１の消耗状態をモニタリングすることが可能となる。同Ａ／Ｄ変換入力端子ＡＤＣには、それぞれ一端を接地した抵抗Ｒ１５及びコンデンサＣ１３の各他端が接続される。
【００４４】
ＤＳＰ（Ｄｉｇｉｔａｌ  Ｓｉｇｎａｌ  Ｐｒｏｃｅｓｓｏｒ）３０は、上記定格電圧３［Ｖ］（ＶＣＣ３−１）、１．５［Ｖ］（ＶＣＣ１．５）、及び１．８［Ｖ］（ＶＣＣ１．８）に基づき、主として撮影により得た画像データの画像処理、具体的には例えばＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）規格に則ったＡＤＣＴ（適応離散コサイン変換）やハフマン符号化等の画像圧縮処理を行ない、このデジタルカメラの記録媒体であるフラッシュＲＯＭ３１にデータ記録を行ない、あるいは同フラッシュＲＯＭ３１から読出した画像データの上記データ圧縮処理とほぼ正反対の手順による画像伸長処理を行なう一方で、このデジタルカメラのシステムコントローラの一助としての動作も司る。
【００４５】
しかるに、このＤＳＰ３０に対して、プルアップ抵抗Ｒｐを介して別途上記定格電圧３［Ｖ］（ＶＣＣ３−１）が印加される上記レンズユニット１３のレンズ位置検出スイッチ１３ａの開放端が接続されて、ＤＳＰ３０は同レンズ位置検出スイッチ１３ａの可動切片の状態、すなわち上記レンズユニット１３のレンズ鏡筒１３ｃの後退状態を制御信号ＣＮＴ  Ａによりモニタリングするものであり、このＤＳＰ３０からモータドライバ１２に対して動作信号Ａ，Ｂが送出される。
【００４６】
モータドライバ１２及びレンズユニット１３の構成と動作については上記図６で示した内容とほぼ同様であるので、同一部分には同一符号を付してその説明は省略する。
【００４７】
上記のような回路構成にあって、レンズユニット１３のレンズ鏡筒１３ｃが繰出されている「伸」状態にある撮影時に、電池２１が消耗して各回路への供給電圧が低下して充分な動作が確保できなくなった場合、第２のスイッチング回路２４、第１のスイッチング回路２７の導通が絶たれてシステム系電源回路２８のＤＣ／ＤＣ昇圧回路２８ａ，２８ｂ、ＬＤＯ２８ｃ、及びＤＣ／ＤＣ降圧回路２８ｄの各発生電圧が一斉にダウンすると共に、ＤＣ／ＤＣ昇圧回路２６の発生電圧も同様にダウンする。
【００４８】
このとき、瞬断検出回路２３の電圧検出器２３ａが電源電圧の瞬断を検出してＤＳＰ３０へ検出信号を送出することで、ＤＳＰ３０はその時点で実行している画像処理動作を予めプログラムされている内容に従って急遽終了させる一方で、モータドライバ１２への信号Ａ，ＢをＡ＝“Ｌ”レベル，Ｂ＝“Ｈ”レベルとする。
【００４９】
モータドライバ１２においては、システム系電源回路２８のＤＣ／ＤＣ昇圧回路２８ｂからの供給電圧ＶＣＣ３−１、及びＤＣ／ＤＣ昇圧回路２６からの供給電圧ＶＣＣ−３．９が共にダウンするが、代わって、それまで充電されていた瞬断保護回路２２の電気二重層コンデンサ２２ｂからダイオードＤ１４を介して電圧が供給されるようになるため、レンズユニット１３のＤＣモータ１３ｂへの出力信号ｏｕｔＡ＝ＧＮＤ（接地）レベル，ｏｕｔＢ＝電気二重層コンデンサ２２ｂからの供給電圧レベルとすることで、ＤＣモータ１３ｂの回転駆動によりレンズ鏡筒１３ｃを収納させる。
【００５０】
そして、レンズ鏡筒１３ｃが収納位置まで後退し、その一部がレンズ位置検出スイッチ１３ａの可動切片に当接してスイッチを導通させると、レンズ位置検出スイッチ１３ａの導通状態をモニタしているＤＳＰ３０がこれを検出し、モータドライバ１２への信号Ａ，Ｂの出力を停止し、モータドライバ１２によるレンズユニット１３のＤＣモータ１３ｂへの制御駆動が停止されて、レンズ鏡筒１３ｃは最も短縮された状態でこのデジタルカメラ本体内に収納される。
【００５１】
また、上記瞬断保護回路２２内の電気二重層コンデンサ２２ｂの電源はモータドライバ１２のみならずＲＴＣ２９へも供給される。そのため、マイコン２５、ＤＳＰ３０に比して非常に小さな回路規模であり、消費電力も小さいＲＴＣ２９は、電池２１からの電力供給が絶えた状態でも、現在の日付及び時刻の計時動作をこのデジタルカメラの電源のオン／オフ状態に関係なく維持続行することができる。
【００５２】
このように、主電源である電池２１が消耗し、各回路への電力供給が急にできなくなってしまった場合でも、それまで充電されていた瞬断保護回路２２の電気二重層コンデンサ２２ｂが最低限必要な電力を確実にバックアップし、少なくともレンズユニット１３のレンズ鏡筒１３ｃをカメラ本体内に収納させてカメラの携帯に適した状態とすること、及びＲＴＣ２９の計時動作を維持させることが可能となる。
【００５３】
電気二重層コンデンサ２２ｂは、一般的な他のコンデンサ類と異なり、ファラド（Ｆ）単位の静電容量が得られ、内部抵抗が小さく急速充電と大電流放電とが可能であり、過充電、過放電を行なっても寿命に影響せず、特別な充電回路や放電時の制約もないため、この種のバックアップ用電源として充分実用に供することが可能である。
【００５４】
（第１の実施の形態の他の構成例）  
図２は、上記第１の実施の形態に係るデジタルカメラの、主に電源制御系統に関連した部分的な他の回路構成を例示するもので、基本的には上記図１に示した内容とほぼ同様であるので、同一部分には同一符号を付してその説明を省略する。
【００５５】
しかして、上記瞬断保護回路２２内の電気二重層コンデンサ２２ｂの供給電源はＲＴＣ２９のみに与えられる。
【００５６】
一方、ＤＣ／ＤＣ昇圧回路２６の前段、電池２１との間に上記瞬断保護回路２２と同様構成の瞬断保護回路４１を配する。すなわちこの瞬断保護回路４１においても、電池２１からの電源ラインが二分され、その一方がダイオードＤ２１を介してＬＤＯ４１ａに与えられる。
【００５７】
このＬＤＯ４１ａは、同入力端子がコンデンサＣ２１を介して接地され、内部にＰチャネルＦＥＴを含んだ降圧回路でなり、その出力端は、一端が接地されたＩＲパス用の抵抗Ｒ２２の他端、一端が接地されたバックアップ用の電気二重層コンデンサ４１ｂの他端及びダイオードＤ２３のアノードに接続され、電池２１の発生電圧を定格に降圧した電圧をこれらに印加する。
【００５８】
しかるに、上記ダイオードＤ２３と上記もう一方の電源ラインに接続されたダイオードＤ２２の両カソードが上記ＤＣ／ＤＣ昇圧回路２６へと接続される。
【００５９】
上記のような回路構成にあって、レンズユニット１３のレンズ鏡筒１３ｃが繰出されている「伸」状態にある撮影時に、電池２１が消耗して各回路への供給電圧が低下して充分な動作が確保できなくなった場合、第２のスイッチング回路２４、第１のスイッチング回路２７の導通が絶たれてシステム系電源回路２８のＤＣ／ＤＣ昇圧回路２８ａ，２８ｂ、ＬＤＯ２８ｃ、及びＤＣ／ＤＣ降圧回路２８ｄの各発生電圧が一斉にダウンする。
【００６０】
このとき、瞬断検出回路２３の電圧検出器２３ａが電源電圧の瞬断を検出してＤＳＰ３０へ検出信号を送出することで、ＤＳＰ３０はその時点で実行している画像処理動作を予めプログラムされている内容に従って急遽終了させる一方で、モータドライバ１２への信号Ａ，ＢをＡ＝“Ｌ”レベル，Ｂ＝“Ｈ”レベルとする。
【００６１】
一方の瞬断保護回路４１では、ＬＤＯ４１ａで発生する電圧が電池２１の消耗によりダウンすると、代わって、それまで充電されていた電気二重層コンデンサ４１ｂからダイオードＤ２３を介してＤＣ／ＤＣ昇圧回路２６に対し、ある程度の電圧を供給するようになる。そのため、ＤＣ／ＤＣ昇圧回路２６はモータドライバ１２に対して依然その動作を維持する程度の電圧を供給し続けることができる。
【００６２】
したがってモータドライバ１２では、システム系電源回路２８のＤＣ／ＤＣ昇圧回路２８ｂからの供給電圧ＶＣＣ３−１が途絶えるものの、ＤＣ／ＤＣ昇圧回路２６からの供給電圧は維持されるために、レンズユニット１３のＤＣモータ１３ｂへの出力信号ｏｕｔＡ＝ＧＮＤ（接地）レベル，ｏｕｔＢ＝ＤＣ／ＤＣ昇圧回路２６からの供給電圧レベルとすることで、ＤＣモータ１３ｂの回転駆動によりレンズ鏡筒１３ｃを収納させる。
【００６３】
そして、レンズ鏡筒１３ｃが収納位置まで後退し、その一部がレンズ位置検出スイッチ１３ａの可動切片に当接してスイッチを導通させると、レンズ位置検出スイッチ１３ａの導通状態をモニタしているＤＳＰ３０がこれを検出し、モータドライバ１２への信号Ａ，Ｂの出力を停止し、モータドライバ１２によるレンズユニット１３のＤＣモータ１３ｂへの制御駆動が停止されて、レンズ鏡筒１３ｃは最も短縮された状態でこのデジタルカメラ本体内に収納される。
【００６４】
また、上記瞬断保護回路２２内の電気二重層コンデンサ２２ｂの電源がＲＴＣ２９へ供給されるため、マイコン２５、ＤＳＰ３０に比して非常に小さな回路規模であり、消費電力も小さいＲＴＣ２９は、電池２１からの電力供給が絶えた状態でも、現在の日付及び時刻の計時動作をこのデジタルカメラの電源のオン／オフ状態に関係なく維持続行することができる。
【００６５】
このように、主電源である電池２１が消耗し、各回路への電力供給が急にできなくなってしまった場合でも、それまで充電されていた瞬断保護回路４１の電気二重層コンデンサ４１ｂと瞬断保護回路２２の電気二重層コンデンサ２２ｂとがそれぞれ駆動対象に最低限必要な電力を確実にバックアップし、少なくともレンズユニット１３のレンズ鏡筒１３ｃをカメラ本体内に収納させてカメラの携帯に適した状態とすること、及びＲＴＣ２９の計時動作を維持させることが可能となる。
【００６６】
この場合、上記第１の実施の形態とは異なり、瞬断保護回路４１の電気二重層コンデンサ４１ｂがモータドライバ１２によりレンズユニット１３のレンズ鏡筒１３ｃを収納させる電力を、瞬断保護回路２２の電気二重層コンデンサ２２ｂがＲＴＣ２９の計時動作を維持させる電力をそれぞれ独立して供給するものとしたため、それぞれの負荷容量と各コンデンサの静電容量とを最適なものに設定することで、それらの各電源バックアップ動作をより確実に実行させることが可能となる。
【００６７】
（第２の実施の形態）  
以下本発明をコンパクトタイプのデジタルカメラに適用した場合の第２の実施の形態について図面を参照して説明する。
【００６８】
図３は、主に電源制御系統に関連した部分的な回路構成を示すもので、基本的には上記図１に示した内容とほぼ同様であるので、同一部分には同一符号を付してその説明を省略する。
【００６９】
しかして、ＤＣ／ＤＣ昇圧回路２６の発生する電圧ＶＤＤ−３．９はまた、分圧抵抗Ｒ３１，Ｒ３２のうち、抵抗Ｒ３１の一端にも与えられる。これら抵抗Ｒ３１，Ｒ３２の分圧点がインバータ４６の入力端と接続され、同インバータ４６の出力端がアンド回路４７の入力端に接続される。
【００７０】
上記抵抗Ｒ３１，Ｒ３２は、ＤＣ／ＤＣ昇圧回路２６からの電圧が印加される通常動作時にインバータ４６への入力定格を越えてしまうのを防ぐべく設けられたものであり、例えば上記電気二重層コンデンサ２２ｂからの供給電圧が２［Ｖ］程度であれば、抵抗Ｒ３１の抵抗値とＲ３２の抵抗値の比は略１：１とする。
【００７１】
ところで、上記電気二重層コンデンサ２２ｂからの電圧は、上記インバータ４６及びアンド回路４７に印加されてその動作電源とされる他、プルアップ抵抗Ｒｐ２の一端、及びｐチャネルのＦＥＴ４８のドレインにも与えられる。
【００７２】
上記アンド回路４７は、その一方の入力端が上記プルアップ抵抗Ｒｐ２の他端、及び上記レンズ位置検出スイッチ１３ａの開放端と接続され、アンド回路４７の出力端が上記ＦＥＴ４８及び同じくｐチャネルのＦＥＴ４９の各ゲートに接続される。
【００７３】
ＦＥＴ４８のソースには、上記モータドライバ１２からレンズユニット１３のＤＣモータ１３ｂに至る出力信号ｏｕｔＢが印加される。また、ＦＥＴ４８はソースが接地され、同ドレインに上記モータドライバ１２からレンズユニット１３のＤＣモータ１３ｂに至る出力信号ｏｕｔＡが印加される。
【００７４】
上記のような回路構成にあって、レンズユニット１３のレンズ鏡筒１３ｃが繰出されている「伸」状態にある撮影時に、電池２１が消耗して各回路への供給電圧が低下して充分な動作が確保できなくなった場合、第２のスイッチング回路２４、第１のスイッチング回路２７の導通が絶たれてシステム系電源回路２８のＤＣ／ＤＣ昇圧回路２８ａ，２８ｂ、ＬＤＯ２８ｃ、及びＤＣ／ＤＣ降圧回路２８ｄの各発生電圧が一斉にダウンすると共に、ＤＣ／ＤＣ昇圧回路２６の発生電圧も同様にダウンする。
【００７５】
このとき、インバータ４６の出力が“Ｈ”レベル、電気二重層コンデンサ２２ｂからプルアップ抵抗Ｒｐ２を介してアンド回路４７への入力が“Ｈ”レベルとなり、このアンド回路４７の出力も“Ｈ”レベルとなると、ＦＥＴ４８，４９は共にオンし、ＦＥＴ４９により出力信号ｏｕｔＡがＧＮＤ（接地）レベル，ＦＥＴ４８によりｏｕｔＢ＝電気二重層コンデンサ２２ｂの供給電圧レベルとなってレンズユニット１３のＤＣモータ１３ｂが回転駆動され、レンズ鏡筒１３ｃが順次収納される。
【００７６】
そして、レンズ鏡筒１３ｃが最終的にレンズ位置検出スイッチ１３ａの可動切片に当接されてレンズ位置検出スイッチ１３ａをオンさせると、その検出信号である制御信号ＣＮＴ  Ａが“Ｌ”レベルとなり、アンド回路４７の出力も“Ｌ”レベルとなってＦＥＴ４８，４９が共にオフとなり、スタンバイ状態へと移行する。
【００７７】
また、上記瞬断保護回路２２の電気二重層コンデンサ２２ｂの電源はレンズユニット１３のＤＣモータ１３ｂのみならずＲＴＣ２９へも供給される。そのため、マイコン２５、ＤＳＰ３０に比して非常に小さな回路規模であり、消費電力も小さいＲＴＣ２９は、電池２１からの電力供給が絶えた状態でも、現在の日付及び時刻の計時動作をこのデジタルカメラの電源のオン／オフ状態に関係なく維持続行することができる。
【００７８】
このように、主電源である電池２１が消耗し、各回路への電力供給が急にできなくなってしまった場合でも、それまで充電されていた電気二重層コンデンサ２２ｂが駆動対象に最低限必要な電力を確実にバックアップし、ハードウェア的に構成した回路を直接介して、少なくともレンズユニット１３のレンズ鏡筒１３ｃをカメラ本体内に収納させてカメラの携帯に適した状態とすること、及びＲＴＣ２９の計時動作を維持させることが可能となる。
【００７９】
特に、上記インバータ４６、アンド回路４７、ＦＥＴ４８，４９を含むハードウェア構成の回路によりレンズユニット１３のレンズ鏡筒１３ｃの収納を直接駆動して実現しているため、不安定な電源環境でマイコン２５やＤＳＰ３０の動作プログラムが暴走、あるいはフリーズしてしまうような状態であっても確実に動作を完遂できる。
【００８０】
（第２の実施の形態の他の構成例１）  
図４は、上記第２の実施の形態に係るデジタルカメラの、主に電源制御系統に関連した部分的な他の回路構成例１を示すもので、基本的には上記図３に示した内容とほぼ同様であるので、同一部分には同一符号を付してその説明を省略する。
【００８１】
しかして、抵抗Ｒ３１，Ｒ３２の分圧点がノア回路５１の入力端と接続される。
【００８２】
また、上記システム系電源回路２８のＤＣ／ＤＣ昇圧回路２８ｂの発生する電圧ＶＤＤ３−１が、分圧抵抗Ｒ４１，Ｒ４１のうち、抵抗Ｒ４１の一端に与えられ、これら抵抗Ｒ４１，Ｒ４２の分圧点がノア回路５１の入力端と接続されて、同ノア回路５１の出力端がアンド回路４７の入力端に接続される。
【００８３】
上記抵抗Ｒ４１，Ｒ４２は、ＤＣ／ＤＣ昇圧回路２８ｂからの電圧が印加される通常動作時にノア回路５１への入力定格を越えてしまうのを防ぐべく設けられたものであり、例えば上記電気二重層コンデンサ２２ｂからの供給電圧が２［Ｖ］程度であれば、抵抗Ｒ４１の抵抗値とＲ４２の抵抗値の比は略１：２とする。
【００８４】
上記電気二重層コンデンサ２２ｂからの電圧は、上記ノア回路５１及びアンド回路４７に印加されてその動作電源とされる。
【００８５】
上記のような回路構成にあって、レンズユニット１３のレンズ鏡筒１３ｃが繰出されている「伸」状態にある撮影時に、電池２１が消耗して各回路への供給電圧が低下して充分な動作が確保できなくなった場合、第２のスイッチング回路２４、第１のスイッチング回路２７の導通が絶たれてシステム系電源回路２８のＤＣ／ＤＣ昇圧回路２８ａ，２８ｂ、ＬＤＯ２８ｃ、及びＤＣ／ＤＣ降圧回路２８ｄの各発生電圧が一斉にダウンすると共に、ＤＣ／ＤＣ昇圧回路２６の発生電圧も同様にダウンする。
【００８６】
このとき、システム系電源回路２８のＤＣ／ＤＣ昇圧回路２８ｂ及びＤＣ／ＤＣ昇圧回路２６の出力電圧を監視するノア回路５１の出力が“Ｈ”レベル、電気二重層コンデンサ２２ｂからプルアップ抵抗Ｒｐ２を介してアンド回路４７への入力が“Ｈ”レベルとなり、このアンド回路４７の出力も“Ｈ”レベルとなると、ＦＥＴ４８，４９は共にオンし、ＦＥＴ４９により出力信号ｏｕｔＡがＧＮＤ（接地）レベル，ＦＥＴ４８によりｏｕｔＢ＝電気二重層コンデンサ２２ｂの供給電圧レベルとなってレンズユニット１３のＤＣモータ１３ｂが回転駆動され、レンズ鏡筒１３ｃが順次収納される。
【００８７】
そして、レンズ鏡筒１３ｃが最終的にレンズ位置検出スイッチ１３ａの可動切片に当接されてレンズ位置検出スイッチ１３ａをオンさせると、その検出信号である制御信号ＣＮＴ  Ａが“Ｌ”レベルとなり、アンド回路４７の出力が“Ｌ”レベルとなってＦＥＴ４８，４９が共にオフとなり、スタンバイ状態へと移行する。
【００８８】
また、上記瞬断保護回路２２の電気二重層コンデンサ２２ｂの電源はレンズユニット１３のＤＣモータ１３ｂのみならずＲＴＣ２９へも供給される。そのため、マイコン２５、ＤＳＰ３０に比して非常に小さな回路規模であり、消費電力も小さいＲＴＣ２９は、電池２１からの電力供給が絶えた状態でも、現在の日付及び時刻の計時動作をこのデジタルカメラの電源のオン／オフ状態に関係なく維持続行することができる。
【００８９】
このように、主電源である電池２１が消耗し、各回路への電力供給が急にできなくなってしまった場合でも、それまで充電されていた電気二重層コンデンサ２２ｂが駆動対象に最低限必要な電力を確実にバックアップし、２つの電圧値を監視するハードウェア的に構成した回路を直接介して、少なくともレンズユニット１３のレンズ鏡筒１３ｃをカメラ本体内に収納させてカメラの携帯に適した状態とすること、及びＲＴＣ２９の計時動作を維持させることが可能となる。
【００９０】
特に、上記ノア回路５１、アンド回路４７、ＦＥＴ４８，４９を含むハードウェア構成の回路によりレンズユニット１３のレンズ鏡筒１３ｃの収納を直接駆動して実現しているため、不安定な電源環境でマイコン２５やＤＳＰ３０の動作プログラムが暴走、あるいはフリーズしてしまうような状態であっても確実に動作を完遂できる。
【００９１】
（第２の実施の形態の他の構成例２）  
図５は、上記第２の実施の形態に係るデジタルカメラの、主に電源制御系統に関連した部分的な他の回路構成例２を示すもので、基本的には上記図３に示した内容とほぼ同様であるので、同一部分には同一符号を付してその説明を省略する。
【００９２】
しかして、上記瞬断保護回路２２内の電気二重層コンデンサ２２ｂの供給電源はＲＴＣ２９のみに与えられる。
【００９３】
一方、電池２１の供給電圧は瞬断保護回路６１内のＬＤＯ６１ａにも与えられる。
【００９４】
このＬＤＯ４１ａは、同入力端子がコンデンサＣ３１を介して接地され、内部にＰチャネルＦＥＴを含んだ降圧回路でなり、その出力端は、一端が接地されたＩＲパス用の抵抗Ｒ５１の他端、一端が接地されたバックアップ用の電気二重層コンデンサ６１ｂの他端に接続されるもので、このＬＤＯ６１ａの出力する、電池２１の発生電圧を定格値に降圧した電圧が上記インバータ４６、アンド回路４７、及びプルアップ抵抗Ｒｐ２の一端に動作電圧として印加されるとともにも上記ＦＥＴ４８のドレインにも印加される。
【００９５】
上記のような回路構成にあって、レンズユニット１３のレンズ鏡筒１３ｃが繰出されている「伸」状態にある撮影時に、電池２１が消耗して各回路への供給電圧が低下して充分な動作が確保できなくなった場合、第２のスイッチング回路２４、第１のスイッチング回路２７の導通が絶たれてシステム系電源回路２８のＤＣ／ＤＣ昇圧回路２８ａ，２８ｂ、ＬＤＯ２８ｃ、及びＤＣ／ＤＣ降圧回路２８ｄの各発生電圧が一斉にダウンすると共に、ＤＣ／ＤＣ昇圧回路２６の発生電圧も同様にダウンする。
【００９６】
このときインバータ４６の出力が“Ｈ”レベル、瞬断保護回路６１の電気二重層コンデンサ６１ｂからプルアップ抵抗Ｒｐ２を介してアンド回路４７への入力が“Ｈ”レベルとなり、このアンド回路４７の出力も“Ｈ”レベルとなると、ＦＥＴ４８，４９は共にオンし、ＦＥＴ４９により出力信号ｏｕｔＡがＧＮＤ（接地）レベル，ＦＥＴ４８によりｏｕｔＢ＝電気二重層コンデンサ２２ｂの供給電圧レベルとなってレンズユニット１３のＤＣモータ１３ｂが回転駆動され、レンズ鏡筒１３ｃが順次収納される。
【００９７】
そして、レンズ鏡筒１３ｃが最終的にレンズ位置検出スイッチ１３ａの可動切片に当接されてレンズ位置検出スイッチ１３ａをオンさせると、その検出信号である制御信号ＣＮＴ  Ａが“Ｌ”レベルとなり、アンド回路４７の出力も“Ｌ”レベルとなってＦＥＴ４８，４９が共にオフとなり、スタンバイ状態へと移行する。
【００９８】
一方で、上記瞬断保護回路２２内の電気二重層コンデンサ２２ｂの電源がＲＴＣ２９へ供給されるため、マイコン２５、ＤＳＰ３０に比して非常に小さな回路規模であり、消費電力も小さいＲＴＣ２９は、電池２１からの電力供給が絶えた状態でも、現在の日付及び時刻の計時動作をこのデジタルカメラの電源のオン／オフ状態に関係なく維持続行することができる。
【００９９】
このように、主電源である電池２１が消耗し、各回路への電力供給が急にできなくなってしまった場合でも、それまで充電されていた瞬断保護回路６１の電気二重層コンデンサ６１ｂと瞬断保護回路２２の電気二重層コンデンサ２２ｂとがそれぞれ駆動対象に最低限必要な電力を確実にバックアップし、少なくともレンズユニット１３のレンズ鏡筒１３ｃをカメラ本体内に収納させてカメラの携帯に適した状態とすること、及びＲＴＣ２９の計時動作を維持させることが可能となる。
【０１００】
この場合、上記第２の実施の形態とは異なり、瞬断保護回路６１の電気二重層コンデンサ６１ｂがモータドライバ１２によりレンズユニット１３のレンズ鏡筒１３ｃを収納させる電力を、瞬断保護回路２２の電気二重層コンデンサ２２ｂがＲＴＣ２９の計時動作を維持させる電力をそれぞれ独立して供給するものとしたため、それぞれの負荷容量と各コンデンサの静電容量とを最適なものに設定することで、それらの各電源バックアップ動作をより確実に実行させることが可能となる。
【０１０１】
特に、上記インバータ４６、アンド回路４７、ＦＥＴ４８，４９を含むハードウェア構成の回路によりレンズユニット１３のレンズ鏡筒１３ｃの収納を直接駆動して実現しているため、レンズ鏡筒１３ｃの収納に関してはシステム系電源回路２８のために設けられた瞬断保護回路２２を必要とせず、不安定な電源環境でマイコン２５やＤＳＰ３０の動作プログラムが暴走、あるいはフリーズしてしまうような状態であっても確実に動作を完遂できる。
【０１０２】
なお、上記各実施の形態は本発明をデジタルカメラに適用した場合について例示したものであるが本発明はこれに限らず、例えば光学ズームレンズを有するカメラ機能付きの携帯電話機等、レンズ鏡筒の少なくとも一部を電源オフ時に筐体本体に収納する必要がある撮像装置であればいずれにも適用することが可能である。
【０１０３】
その他、本発明は上記実施の形態に限らず、その要旨を逸脱しない範囲内で種々変形して実施することが可能であるものとする。
【０１０４】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１０５】
【図１】本発明の第１の実施の形態に係るデジタルカメラの主として電源制御系統に関連した部分的な回路構成を示すブロック図。
【図２】同実施の形態に係る主として電源制御系統に関連した部分的な他の回路構成を示すブロック図。
【図３】本発明の第２の実施の形態に係るデジタルカメラの主として電源制御系統に関連した部分的な回路構成を示すブロック図。
【図４】同実施の形態に係る主として電源制御系統に関連した部分的な他の回路構成例１を示すブロック図。
【図５】同実施の形態に係る主として電源制御系統に関連した部分的な他の回路構成例２を示すブロック図。
【図６】一般的なデジタルカメラのレンズ駆動に係る機能回路構成を示すブロック図。
【符号の説明】
【０１０６】
１１…マイコン、１２…モータドライバ、１３…レンズユニット、１３ａ…レンズ位置検出スイッチ、１３ｂ…ＤＣモータ、１３ｃ…レンズ鏡筒、２１…電池、２２…瞬断保護回路、２２ａ…ＬＤＯ、２２ｂ…電気二重層コンデンサ、２３…瞬断検出回路、２３ａ…電圧検出器、２４…第２のスイッチング回路、２５…マイコン、２６…ＤＣ／ＤＣ昇圧回路、２７…第１のスイッチング回路、２８…システム系電源回路、２８ａ，２８ｂ…ＤＣ／ＤＣ昇圧回路、２８ｃ…ＬＤＯ、２８ｄ…ＤＣ／ＤＣ降圧回路、２９…ＲＴＣ、３０…ＤＳＰ、３１…フラッシュＲＯＭ、４１…瞬断保護回路、４１ａ…ＬＤＯ、４１ｂ…電気二重層コンデンサ、４６…インバータ、４７…アンド回路、４８，４９…ＦＥＴ、５１…ノア回路、６１…瞬断保護回路、６１ａ…ＬＤＯ、６１ｂ…電気二重層コンデンサ。
【図１】
2006098938.tif 000003
【図２】
2006098938.tif 000004
【図３】
2006098938.tif 000005
【図４】
2006098938.tif 000006
【図５】
2006098938.tif 000007
【図６】
2006098938.tif 000008